(57)【特許請求の範囲】
【請求項１】
液透過性のトップシートと、液不透過性のバックシートと、これら両シートの間に設けられる吸収体とを備えた長手方向を有する矩形の使いすて吸収性物品であって、前記吸収性物品は、その長手方向の一方の端部より他方の端部に至る途中までの長さの２本のチャンネル部によって前記吸収体が存在する領域が幅方向に分割されて枝別れ中央部と２つの枝別れ側部が形成されている３分割領域と、該３分割領域から前記他方の端部に至るチャンネル部が形成されていない根元部領域とを有しており、かつ、吸収性物品の長手方向両外側縁、幅方向両外側縁及びチャンネル部内側縁に、前記液透過性のトップシートと液不透過性のバックシートの積層部よりなる吸収体が存在しないサイドフラップ部を有し、前記吸収体は該サイドフラップ部より内側の領域において液透過性のトップシートと液不透過性のバックシートの間に挟持されていることを特徴とする使いすて吸収性物品。
【請求項２】
前記３分割領域のチャンネル部内側縁のサイドフラップ部は、前記チャンネル部に液透過性のトップシートと液不透過性のバックシートよりなる吸収体が存在しない積層部が形成され、該積層部が前記チャンネル部の幅方向中央部において長手方向に形成されている切断可能線を切断することによって形成されるサイドフラップ部であることを特徴とする請求項１記載の使いすて吸収性物品。
【請求項３】
前記吸収性物品の前記長手方向両外側縁、幅方向両外側縁及びチャンネル部内側縁における液透過性のトップシートと液不透過性のバックシートの積層部よりなる吸収体が存在しないサイドフラップ部の少なくとも一部に伸縮弾性部材が伸長状態で挟持されていることを特徴とする請求項１又は２に記載の使いすて吸収性物品。
【請求項４】
前記３分割領域の枝別れ中央部におけるチャンネル部内側縁の吸収体が存在しないサイドフラップ部に、その長手方向に沿って前記液透過性のトップシートと液不透過性のバックシートの間に伸縮弾性部材が伸長状態で挟持されていることを特徴とする請求項１〜３のいずれか１項に記載の使いすて吸収性物品。
【発明の詳細な説明】
【０００１】
【発明の属する技術分野】
本発明は使いすて吸収性物品として、単独あるいはおむつカバー等の止着用物品や下着に内装、あるいは他の使いすて吸収性物品と併用して着用者に装着される使いすて吸収性物品に関し、更に詳しくは吸収性物品の長手方向に沿って、長手方向の一方の端部より他方の端部にかけての少なくとも一部分が幅方向に３分割されている、あるいは、３分割可能であることを特徴とする使いすて吸収性物品に関する。
【０００２】
【従来の技術】
従来の使いすておむつを代表とする吸収性物品は、特公昭５２−４０２６７号公報に開示されている展開型のおむつのように、液透過性のトップシートと液不透過性のバックシートと、これら両シート間に配置された吸収体を有しており、着用時に排泄された尿等の排泄物を液透過性のトップシートを介して吸収体にて保持し、液不透過性のバックシートにより、排泄物が吸収性着用物品の外に漏れ出すことを防ぐものとして用いられ、その用途に応じて使いすての吸収性物品として好適に使用できるように伸縮弾性部材や留め具を備える等、様々な形態のものが提案されている。
【０００３】
これらの使いすて吸収性物品は乳幼児を始めとして、成人失禁者まで、尿便の排泄に関して自己規制できない者用として現在では広く使用されているものであり、乳幼児用は液透過性のトップシート、及び液不透過性のバックシートに吸収体を挟持させたものを基本構造とし、これに伸縮弾性部材や粘着テープ等の留め具を備えたものからなる一体型、あるいは予めパンツ型に成形されたものが広く用いられ、多くの場合、これらは単独で使用されており、使われ方に関しても比較的画一的なものである。
【０００４】
これに対し、成人用の使いすて吸収性物品は上記一体型、あるいはパンツ型に成形されたものの他、これらの使いすて物品と併用して使われるパッド型、更にはおむつカバーを介して使われるフラット型も多く使われ、使用者の状況、つまり失禁の程度や失禁者本人の要介護度、更には介護者による介護の頻度等によりこれらの吸収性部品の使われ方は多岐に渡っており、様々な形状を有する製品が市販されている。
【０００５】
【発明が解決しようとする課題】
これまでの使いすて吸収性物品は製品の形状から、画一的な使用しかできず、使用者あるいは介護者がその排泄状況の実態に促した様々な使い方をしていたが、物品自体は主に股下を中心に、仰向け姿勢での排泄物の保持を目的とした背中側、あるいはうつ伏せ姿勢での保持を目的とした腹側に吸収体を配置した構成となっており、状況に応じては補助吸収パッド等を併用し、部分的に吸収力を強化させていたが、それによって一度に使用する吸収性物品の種類が２点以上となったり、その場合でも使用実態に必ずしも即したものとなるとは言えなかった。
【０００６】
また、特に成人高齢者においては、腰椎の年齢による変形等により、横向きの姿勢で就寝することが多いが、これまでの吸収性部品においては横向き姿勢での使用を十分考慮したものが少なく、従来の製品に加え、補助吸収パッド体の側部にあてて併用せざるを得ないことがあった。
【０００７】
この他、使用者によっては我々当該業者の想像を超えた使い方をされていることも少なくはなく、本来は単純な商品形態であっても使用方法が画一的にはならずに使用者あるいは介護者の実態に即した比較的使用形態における自由度の高い製品が求められていた。
【０００８】
本発明の目的は、従来の使いすて吸収性物品の有する問題点を克服し、特に成人失禁者向けに使用実態に即し、使用者及び介護者への負担を軽減し、単純な商品形態でありながらも、多岐に渡った使い方を選択することが可能な製品を提供することにある。
【０００９】
【課題を解決するための手段】
上記従来の使いすて吸収性物品の有する問題点を解決するための本発明は、以下の各発明を包含する。
（１）液透過性のトップシートと、液不透過性のバックシートと、これら両シートの間に設けられる吸収体とを備えた長手方向を有する矩形の使いすて吸収性物品であって、前記吸収性物品は、その長手方向の一方の端部より他方の端部に至る途中までの長さの２本のチャンネル部によって前記吸収体が存在する領域が幅方向に分割されて枝別れ中央部と２つの枝別れ側部が形成されている３分割領域と、該３分割領域から前記他方の端部に至るチャンネル部が形成されていない根元部領域とを有しており、かつ、吸収性物品の長手方向両外側縁、幅方向両外側縁及びチャンネル部内側縁に、前記液透過性のトップシートと液不透過性のバックシートの積層部よりなる吸収体が存在しないサイドフラップ部を有し、前記吸収体は該サイドフラップ部より内側の領域において液透過性のトップシートと液不透過性のバックシートの間に挟持されていることを特徴とする使いすて吸収性物品。
【００１０】
（２）前記３分割領域のチャンネル部内側縁のサイドフラップ部は、前記チャンネル部に液透過性のトップシートと液不透過性のバックシートよりなる吸収体が存在しない積層部が形成され、該積層部が前記チャンネル部の幅方向中央部において長手方向に形成されている切断可能線を切断することによって形成されるサイドフラップ部であることを特徴とする（１）項記載の使いすて吸収性物品。
【００１１】
（３）前記吸収性物品の前記長手方向両外側縁、幅方向両外側縁及びチャンネル部内側縁における液透過性のトップシートと液不透過性のバックシートの積層部よりなる吸収体が存在しないサイドフラップ部の少なくとも一部に伸縮弾性部材が伸長状態で挟持されていることを特徴とする（１）項又は（２）項に記載の使いすて吸収性物品。
【００１２】
（４）前記３分割領域の枝別れ中央部におけるチャンネル部内側縁の吸収体が存在しないサイドフラップ部に、その長手方向に沿って前記液透過性のトップシートと液不透過性のバックシートの間に伸縮弾性部材が伸長状態で挟持されていることを特徴とする（１）項〜（３）項のいずれか１項に記載の使いすて吸収性物品。
【００１５】
【発明の実施の形態】
本発明の上記構造の使いすて吸収性物品によれば、液透過性のトップシートと、液不透過性のバックシートと、これら両シートの間に設けられる吸収体とを備えた使いすて吸収性物品であり、吸収性物品の長手方向に沿った方向に、吸収性物品の長手方向の一方の端部より他方の端部にかけての少なくとも一部分が幅方向に３分割されている。
【００１６】
このような構成であるため、上記構造の本発明の使いすて吸収性物品を着用する際に、一方の３分割されていない側を着用者の臀部あるいは腹部にあて、３分割された部分の中央の部分を着用者の股下から腹部あるいは臀部にあてることが可能で、３分割された両側部分は使用実態に合わせて、体側部にあてたり、あるいは股ぐりの部分にあてたり、更には腹部あるいは臀部の先に追加してあてることも可能であり、この他の使い方も含めて部分的に吸収性物品からの排泄物の漏れ防止を図りたい部分を強化したり、肌への局所的な圧迫感を軽減する等、使用実態に合わせた多岐な使い方が可能となる。
【００１７】
また、上記構造の本発明の使いすて吸収性物品によれば、少なくとも一部分に吸収体が存在せずにトップシートとバックシートからなるサイドフラップを有しており、サイドフラップの少なくとも一部分にはトップシートとバックシート間に伸縮弾性部材が配置されている。
【００１８】
このような構成であるため、サイドフラップに設けられた伸縮弾性部材の伸縮によりサイドフラップが着用者に密着し、排泄物の吸収性物品外への漏出を防ぐことが可能となる。
【００１９】
また、上記構造の本発明の使いすて吸収性物品によれば、吸収性物品の長手方向に沿った方向に、吸収性物品の長手方向の一方の端部より他方の端部にかけての少なくとも一部分が幅方向に３分割可能となっている。
【００２０】
このような構成であるため、使用時に任意の形状に３分割し、前述のように使用実態に合わせた使い方を選択することが可能となる他、そのままの形状で使用すれば、いわゆるフラット型の使いすて吸収性物品とすることも可能であり、任意の形状の部分的に３分割可能とするためには、分割線をミシン目状に設けることによって可能となる。
【００２１】
本発明の上記構造の使いすて吸収性物品はおむつカバーや従来の止着手段を有する一体型の使いすておむつ、あるいは予めパンツ型に成形された使いすておむつと併用することも可能であるが、本発明の使いすて吸収性物品自体に粘着テープと粘着テープが再剥離可能である受け部を任意の位置に設け、従来の一体型
使いすておむつと同様に使用できる形状とすることも可能である。
【００２２】
【実施例】
以下に添付図面を参照にして本発明について詳細に説明するが、これらは本発明に係わる実施例の一案を示したものであって、実施形態を特に制限するものではない。
図１は本発明の使いすて吸収性物品１をトップシート側から見た一部切り欠き平面展開図である。
図１において、使いすて吸収性物品１は液透過性のトップシート２と液不透過性バックシート３との間に吸収体４が配置されており、吸収性物品１は全体概型としては長手方向を有する矩形を成しているが、長手方向に沿って、一方の端部から他方の端部に向けて部分的に３分割された形状を有しており、これにより吸収性部品１は根元部５、枝別れ中央部６、及び枝別れ側部７、８の各領域を形成しておりこれによりチャンネル９、１０が形成されている。
また、吸収性部品１の長手方向外側縁、及び幅方向外側縁およびチャンネルに沿った部分にはトップシート２とバックシート３から成るサイドフラップ１１が各所に形成され、吸収性物品１の製品端部を取り囲む様に配置されており、吸収体４はサイドフラップ１１の内側領域においてトップシート２とバックシート３の間に挟持されている。
さらに、伸縮弾性部材１２が枝別れ中央部６に隣接したサイドフラップにおいてトップシート２とバックシート３との間に伸長状態で挟持されている。
【００２３】
図２は本発明の別の実施例における使いすて吸収性物品１をトップシート側から見た一部切り欠き平面展開図である。図２において、使いすて吸収性物品１は液透過性のトップシート２と液不透過性バックシート３との間に吸収体４が配置されており、吸収性物品１は全体概型としては長手方向を有する矩形を成しているが、長手方向に沿って、一方の端部から他方の端部に向けて部分的に３分割可能となるように間欠的の切断線１３、１４が設けられており、これにより吸収性物品１は根元部５、枝別れ中央部６、及び枝別れ側部７，８の各領域に３分割可能な形状を有しており、切断線１３、１４の長さに対して任意の長さまで非切断部分を引きちぎることにより使用状況に応じて必要な部分のみを分割することが可能となっている。
【００２４】
図３は本発明の使いすて吸収性物品１の図１におけるＸ−Ｘ’線に沿った断面図である。図３において、使いすて吸収性物品１は、液不透過性のバックシート３上に吸収体４が配置されており、吸収体４は液透過性のトップシート２によって覆われており、吸収体４の両側にはサイドフラップ１１が形成されている。
【００２５】
図４は本発明の使いすて吸収性物品１の図１におけるＹ−Ｙ’線に沿った断面図である。図４において、使いすて吸収性物品１は、枝別れ中央部６、及び枝別れ側部７、８としてそれぞれ示され、各々は液不透過性のバックシート３上に吸収体４が配置されており、吸収体４は液透過性のトップシート２によって覆われており、各々の吸収体４の両側にはサイドフラップ１１が形成されており、枝別れ中央部６においては、吸収体４の両側のサイドフラップ１１においてトップシート２とバックシート３との間に伸縮弾性部材１２が伸長状態で挟持されている。
【００２６】
図５は本発明の使いすて吸収性物品１の着用状態の一例を示す斜視図であり、吸収性物品１を着用者に当てて保持するためのおむつカバー等を取り除いた状態を示したもので、図１における根元部５が着用者の腹部周辺、あるいは臀部周辺に、また図１における枝別れ中央部６が着用者の股下を介して臀部、あるいは腹部に当てられており、枝別れ側部７、８は着用者の腰周り側部に当てられている。尚、図５は本発明の使いすて吸収性物品の着用状態の一例であり、枝別れ側部７、８の着用者への当て方は、この他の形態も可能であることを申し加えておく。
【００２７】
ここでトップシート２としてはポリエチレン、ポリプロピレン、ポリエステル、その他の熱可塑性樹脂を原料とした合成繊維からなる液体透過性不織布を用いるが、サイドフラップ部を形成する部分においては漏れ防止効果をを高めるためにトップシート２を部分的に撥水加工を施すことも可能である。
【００２８】
バックシート３としては液体不透過性のポリエチレンシート、好ましくは微孔を設けたポリエチレンシート、熱可塑性樹脂にフィラーを加えて延伸した透湿性のある液体不透過性シートを用い、透湿性を付与すると蒸れる心配がなくなりより快適である。
【００２９】
吸収体４は本発明の目的を達成する範囲で任意の形状とすることが可能であるが、フラッフパルプを主材に高吸収性ポリマーを併用したものが好ましく、その他に吸収紙単独、又は熱融着繊維等の混合物や積層物が用いられる。
また、全体をティシュで包み込んだ積層構造とすることが好ましい。
【００３０】
伸縮弾性部材５はウレタン糸、糸ゴム等の伸縮弾性体であって、それぞれ伸長状態で配置され、ホットメルト接着剤により吸収性物品の長手方向の全長より短い長さで所定の領域に接着固定されている。
【００３１】
【発明の効果】
本発明の使いすて吸収性物品によれば、液透過性のトップシートと、液不透過性のバックシートと、これら両シートの間に設けられる吸収体とを備えた使いすて吸収性物品であり、吸収性物品の長手方向に沿った方向に、吸収性物品の長手方向の一方の端部より他方の端部にかけての少なくとも一部分が幅方向に３分割されていることから、使いすて吸収性物品を着用する際に、一方の３分割されていない側を着用者の臀部あるいは腹部にあて、３分割された部分の中央の部分を着用者の股下から腹部あるいは臀部にあてることが可能で、３分割された両側部分は使用実態に合わせて、体側部にあてたり、あるいは股ぐりの部分にあてたり、更には腹部あるいは臀部の先に追加してあてることも可能であり、この他の使い方も含めて部分的に吸収性物品からの排泄物の漏れ防止を図りたい部分を強化したり、肌への局所的な圧迫感を軽減する等、使用実態に合わせた多岐な使い方が可能となる。
【図面の簡単な説明】
【図１】本発明の使いすて吸収性物品を液透過性のトップシート側から見た一部切り欠き平面展開図。
【図２】本発明の使いすて吸収性物品の別の実施例を液透過性のトップシート側から見た一部切り欠き平面展開図。
【図３】図１の使いすて吸収性物品のＸ−Ｘ’線に沿った断面図。
【図４】図１の使いすて吸収性物品のＹ−Ｙ’線に沿った断面図。
【図５】本発明の使いすて吸収性物品の着用状態の一例を示す斜視図。
【符号の説明】
１：使いすて吸収性物品
２：トップシート
３：バックシート
４：吸収体
５：根元部
６：枝別れ中央部
７、８：枝別れ側部
９、１０：チャンネル
１１：サイドフラップ
１２：伸縮弾性部材
１３、１４：間欠的な切断線
【図１】
0004496588.tif 000002
【図２】
0004496588.tif 000003
【図３】
0004496588.tif 000004
【図４】
0004496588.tif 000005
【図５】
0004496588.tif 000006